(57)【要約】      （修正有）【課題】掛止用フックを介してごみ容器の上周縁に掛止することにより、補助ごみ容器をごみ容器の内側、または外側に簡単に、取付けたり、取外したりすることができる補助ごみ容器装置を提供する。【解決手段】硬質プラスチックにより上方にごみを投入する投入口２を開口すると共に、底部に底板３を設け、且つ周壁によって囲繞されたごみ収納部５を備えて補助ごみ容器１を形成する。さらに、該補助ごみ容器１の周壁の上方部に、ごみ容器６の上縁周縁に掛止する掛止用フック７を取付ける取付孔８を開口して形成され、更に前記掛止用フック７は、硬質プラスチックにより一方側に補助ごみ容器１を吊り下げる吊り下げ部備えると共に、他方側にごみ容器６に掛止する掛止部１０を備えて形成されている。【選択図】図５
0003181953.tif 000002
【実用新案登録請求の範囲】
【請求項１】
硬質プラスチックにより上方にごみを投入する投入口を開口すると共に、底部に底板を設け、且つ周壁によって囲繞されたごみ収納部を備えて補助ごみ容器を形成する一方、該補助ごみ容器の周壁の上方部にごみ容器の上縁周縁に掛止する掛止用フックを取付ける取付孔を開口して形成され、更に前記掛止用フックは、硬質プラスチックにより一方側に前記補助ごみ容器を吊り下げる吊り下げ部を備えると共に、他方側にごみ容器に掛止する掛止部を備えて形成したことを特徴とするごみ容器における補助ごみ容器装置。
【考案の詳細な説明】
【技術分野】
【０００１】
本考案は、ごみ容器本体に掛止して取付けて、ごみ容器内に投入するごみとは区別して仕分けたごみ、例えば、ペットボトルのキャップや電池等の小さな不燃物を投入して、ごみ容器のごみとは区別して処理することができるようにしたごみ容器における補助ごみ容器装置に関するものである。
【背景技術】
【０００２】
従来、一般家庭においては、可燃ごみと不燃ごみとを分別して別々のポリエチレン製ごみ袋、またはごみ容器に投入して処理している。そして、ごみ容器にごみを投入する場合、本来仕分けて処理しなければならない、例えば、ペットボトルのキャップ、電池等の小さな不燃物と一緒にごみ容器に誤って投入してしまうことが多々見受けられるが、これら誤投入を改善できるようなごみ容器は実用に供されていない。
【０００３】
一方、前記誤投入をなくすことを目的とするごみ容器の先行技術につき、過去の特許文献を遡及検索したところ、単にごみ容器の開口部にポリ袋を掛止するという手段を備えた下記特許文献１・２に示すごみ容器が公知である。
【０００４】
しかしながら、特許文献１に記載された「ごみ容器」は、ごみ容器の開口に複数のポリ袋の手提げ部を掛け止めることにより、１個のごみ容器に複数のポリ袋をセットすることで、ごみを分別収納することができるように構成されている。
【０００５】
しかしながら、特許文献１記載の「ごみ容器」では開口部のポリ袋の掛止部は、凹凸状をなしているため、容器本体に蓋を被冠しても、凹部からごみ容器に投入されたごみから悪臭がもれ出てしまうという課題があり、更にポリ袋に収納したごみが重いとポリ袋が切断してごみ容器内に落下してしまい、本来の目的を達成することができないという課題があった。
【０００６】
また、特許文献２記載の「ごみの分別収容に便利な筒状ごみ箱」は、複数の同じ、あるいは異なる寸法のプラスチック袋を同時にセット可能であり、またプラスチック袋のごみ箱内への滑落を防止しようとするものであって、複数のプラスチック袋を使用することにより、少なくとも１つの袋を分別用として使用するのが可能である。しかしながら、特許文献２記載のごみ箱では、前記特許文献１と同様に、プラスチック袋の掛止部は凹状をなしているため、容器本体に蓋を被冠すると、凹部からごみ容器に投入されたごみから悪臭がもれ出てしまうという課題があり、更に前記少なくとも一つの袋を分別用として使用した場合、該袋に収納したごみが重いと袋が切断してごみ容器内に落下してしまい、本来の目的を達成することができないという課題があった。
【先行技術文献】
【特許文献】
【０００７】
【特許文献１】特開２００２−１６７００２号公報
【特許文献２】登録実用新案第３０４４５８４号公報
【考案の概要】
【考案が解決しようとする課題】
【０００８】
本考案は、前記課題を解決すべくなされたものであって、補助ごみ容器をごみ容器の上端部に掛止して、蓋を被冠しても、隙間がほとんど生じないので、ごみ容器から投入されたごみからの悪臭がもれ出ることもなく、更に補助ごみ容器に収納したごみが重くても該ごみ容器が破損することもなく、特にごみ容器内に補助ごみ容器が落下することもないごみ容器における補助ごみ容器装置を提供しようとするものである。
【課題を解決するための手段】
【０００９】
本考案は、硬質プラスチックにより上方にごみを投入する投入口を開口すると共に、底部に底板を設け、且つ周壁によって囲繞されたごみ収納部を備えて形成される一方、周壁の上方部にごみ容器の上縁周縁に掛止する掛止用フックを取付ける取付孔を開口して形成され、更に前記掛止用フックは、硬質プラスチックにより一方側に補助ごみ容器を吊り下げる吊り下げ部を備えると共に、他方側にごみ容器に掛止する掛止部を備えて形成されるという手段を採用することにより、上記課題を解決した。
【考案の効果】
【００１０】
上記構成より成る本考案によれば、掛止用フックを取付けた補助ごみ容器を、掛止用フックを介してごみ容器の上周縁に掛止することにより、該補助ごみ容器をごみ容器の内側、または外側に取付けることができると共に、掛止用フックをごみ容器の上周縁に掛止したまま、補助ごみ容器を簡単に前記ごみ容器から取り外すこともできる。また、補助ごみ容器は、掛止用フックを介してごみ容器の上周縁に掛止するので、ごみ容器に蓋をしても、前記上周縁と蓋との間に隙間がないので、ごみから発生する臭気が外部に漏れるようなことはなく、本来ごみ容器内に投入するごみとは区別して仕分けたごみ、例えば、ペットボトルのキャップや電池等の小さな不燃物を投入して、ごみ容器のごみとは区別して処理することができる。更に、前記掛止用フックおよび補助ごみ容器共に硬質プラスチック製であるために、補助ごみ容器に収納したごみが重くても該ごみ容器が破損することもなく、ごみ容器内に落下することもない。
【図面の簡単な説明】
【００１１】
【図１】本考案ごみ容器における補助ごみ容器装置における補助ごみ容器に掛止用フックを取付けた状態を示す背面側から見た斜視図である。
【図２】本考案ごみ容器における補助ごみ容器装置における補助ごみ容器に掛止用フックを取付けた状態を示す正面側から見た斜視図である。
【図３】本考案ごみ容器における補助ごみ容器装置における掛止用フックを下面側から見た斜視図である。
【図４】本考案ごみ容器における補助ごみ容器装置における掛止用フックを上面側から見た斜視図である
【図５】本考案ごみ容器における補助ごみ容器装置における補助ごみ容器をごみ容器の内側に取付けた示す斜視図である。
【図６】本考案ごみ容器における補助ごみ容器装置における補助ごみ容器をごみ容器の内側に取付けた状態を示す要部の斜視図である。
【図７】本考案ごみ容器における補助ごみ容器装置における補助ごみ容器をごみ容器の外側に取付けた示す斜視図である。
【実施例】
【００１２】
本考案に係るごみ容器における補助ごみ容器装置における補助ごみ容器は、ごみ容器の上周縁部に掛止して使用することができるように、掛止用フックを備え、該掛止用フックにより、補助ごみ容器をごみ容器の内側に掛止して配置することもできるし、また外側に掛止して配置することもできるよう形成されている。以下、本考案の実施例を図面に基づいて詳細に説明する。
【００１３】
本考案における補助ごみ容器１は、硬質プラスチックにより成型されると共に、その形状は、特に限定する必要はなく、上方にごみを投入する投入口２を開口すると共に、底部に底板３を設け、且つ周壁４によって囲繞されたごみ収納部５を備えて形成される一方、周壁４の上方部にごみ容器６の上縁周縁に掛止する掛止用フック７を取付ける取付孔８を開口して形成されている。
【００１４】
なお、特に限定する必要はないが、前記掛止用フック７を取付ける取付孔８を開口した側の周壁４部分を垂直壁面４ａとすることが推奨される。これにより、本考案補助ごみ容器1をごみ容器本体６に掛止用フック７を用いて取付けたとき、前記垂直壁面４ａが前記ごみ容器６の内側または外側の周壁への接触面が広くなり、該ごみ容器６に安定して掛止することができる。
【００１５】
前記掛止用フック７は、一方側に補助ごみ容器１を吊り下げる吊り下げ部９を備えると共に、他方側にごみ容器６に掛止する掛止部１０を備えて形成されている。そして、前記掛止用フック７は、少なくとも吊り下げ部９および掛止部１０を備えておればよく、その形状および構造については、特に限定する必要はない。
【００１６】
前記のように、掛止用フック７は、少なくとも吊り下げ部９および掛止部１０を備えておればよく、その形状および構造については特に限定する必要はないが、好ましくは図３・図４に示すような構成とすることが推奨される。すなわち、図３・図４に示すように、掛止用フック７は硬質のプラスチックによって成型され、小巾の基板１１の上方部に前記取付孔８に挿入して補助ごみ容器１を吊り下げる凹状をした鉤部１２を突設し、更に、前記基板１１の上端縁に他方側へ延設した連結板１３を突設すると共に、該連結板１３の先端に、下方へ行くに従い漸次前記基板１１との間隔が小となる該基板１１より短い狭持板１４を、前記基板１１側へ付勢するようにして垂設して形成されている。
【００１７】
また、前記構成より成る掛止用フック７の挟持板１４の下方部には、垂直に折曲した垂直片１５を連設すると共に、該垂直片１５の上方の挟持板１４の内側面に、半円状の間隔保持用突起１６を横設して、該間隔保持用突起１６の湾曲先端が前記基板１１に当接するように形成され、該基板１１側に付勢された挟持板１４が基板１１に接触することなく、一定の間隔を保持するよう形成される一方、前記垂直片１５の下端縁より下方に位置する基板１１の内側面の下端部に、半円状のガイド用突起１７を横設し、該ガイド用突起１７の上端縁部と前記垂直片１５の下端縁間に隙間１８を設けて形成されている。
【００１８】
上記構成より成る本発明ごみ容器における補助ごみ容器装置の作用について説明する。先ず、補助ごみ容器１の取付孔８に掛止用フック７の鉤部１２を挿入して、前記取付孔８の上端縁８ａを前記鉤部１２の凹状の底面１２ａに当接掛止して、該掛止用フック７取付ける。
【００１９】
前記掛止用フック７を取付けた補助ごみ容器１は、該掛止用フック７を介してごみ容器６の上周縁に掛止することにより、該補助ごみ容器１をごみ容器本体６の内側、または外側に取付けることができる。
【００２０】
すなわち、図５に示すように、前記補助ごみ容器１をごみ容器６の内側に取付ける場合、図６に示すように、前記掛止用フック７の隙間１８部分にごみ容器本体６の上端周縁部６ａを位置させて、基板１１側へ付勢された狭持板１４に抗して、該掛止用フック７を上方より強く押圧することにより、前記ガイド用突起１７がごみ容器６の内周壁面に摺接すると共に、前記間隔保持用突起１６が該ごみ容器本体６の外周壁面に摺接しながら下動して、前記ごみ容器６の上端周縁部６ａに掛止用フック７の連結板１３の下面が圧接することにより、掛止用フック７は補助ごみ容器１をごみ容器６の内側に掛止した状態で固定される。
【００２１】
また、図７に示すように、前記補助ごみ容器１をごみ容器６の外側に取付ける場合は、前記図５・図６に示す内側に取付ける場合と、内・外の位置が異なるだけでその取付方法は同一であるので、説明を省略する。
【符号の説明】
【００２２】
１  補助ごみ容器
２  投入口
３  底板
４  周壁
５  ごみ収納部
６  ごみ容器
６ａ  ごみ容器の上端周縁部
７  掛止用フック
８  取付孔
８ａ  取付孔の上端縁
９  吊り下げ部
１０  掛止部
１１  基板
１２  鉤部
１３  連結板
１４  狭持板
１５  垂直片
１６  間隔保持用突起
１７  ガイド用突起
１８  隙間
【図１】
0003181953.tif 000003
【図２】
0003181953.tif 000004
【図３】
0003181953.tif 000005
【図４】
0003181953.tif 000006
【図５】
0003181953.tif 000007
【図６】
0003181953.tif 000008
【図７】
0003181953.tif 000009